(57)【要約】      （修正有）【課題】既設屋根の破損部分から石綿等の粉塵の飛散を効果的に防止する。【解決手段】既設の石綿スレート屋根材５１の表面全面に被覆材を固着させて被覆層２０を形成し、次いで、石綿スレート屋根材５１の上に、軒先から棟方向に延びる通気用垂木２５を固定し、次いで、通気用垂木２５の上に、断熱材２６ａを金属板２６ｂで挟んでなる断熱パネル２６を固定し、これによって断熱パネル２６と石綿スレート屋根材５１との間に屋根通気層２７を設け、断熱パネル２６の上に金属製屋根材３０を施工する。【選択図】図２
2007039919.tif 000002
【特許請求の範囲】
【請求項１】
既設屋根の表面全面に被覆材を固着させて被覆層を形成し、次いで、この既設屋根の上に、軒先から棟方向に延びる通気用垂木を固定し、次いで、この通気用垂木の上に、断熱材を金属板で挟んでなる金属被覆断熱材を固定し、これによって該金属被覆断熱材と前記既設屋根との間に屋根通気層を設け、次いで、前記金属被覆断熱材の上に金属製屋根材を施工することを特徴とする既設屋根の改修方法。
【請求項２】
前記被覆材は、塗料、発泡ウレタン等の液状材料であって、前記既設屋根の表面に塗り固められる材料であることを特徴とする請求項１に記載の既設屋根の改修方法。
【請求項３】
前記被覆層を形成した後に、該被覆層の上に防水シートを敷設することを特徴とする請求項１または２に記載の既設屋根の改修方法。
【発明の詳細な説明】
【技術分野】
【０００１】
本発明は、既設屋根に不具合が生じた場合などに、その既設屋根を破壊や破損することなく、その上に新しい屋根を葺いて補修を図る既設屋根の改修方法に関する。
【背景技術】
【０００２】
戸建て住宅等の屋根は、粘土を成形して焼成した多数の瓦を屋根材として葺く形態が古くからあったが、以前より、安価、かつ手軽に施工することのできる屋根材として、主たる成分をセメントとする板状屋根材が広く普及している。しかしながら、この種の屋根材は、長期にわたって使用すると、水分の放散による反りや劣化による割れや破損が起こりやすいものが多く、これらの不具合は屋根材間に隙間を作って雨漏りを招くので、何らかの改修対策が施される。
【０００３】
ところで、上記板状屋根材や屋根を構成する化粧版として、セメントおよび石綿（アスベスト）を主原料とし、若干の混和材料と適量の水を加え、抄造して板状に成形した後、所定の含水率になるまで乾燥させた石綿スレート屋根材が、戸建て住宅の屋根に非常に多く使用されていることは、当業者には周知である。石綿は、天然に産する鉱物繊維で、耐熱性、耐薬品性、絶縁性等の諸特性に優れることから、屋根等の建設資材の他に、電気製品、自動車部品、家庭用品等、きわめて多数の利用形態があり、関連する業種も、建設、造船、自動車、鉄道、電力・ガス、化学など多岐にわたっている。
【０００４】
このような利点を備える石綿ではあるが、健康に対する深刻な危険性が以前にも増して指摘されており、例えば、石綿の暴露に関連あるとして確認されている疾病としては、石綿肺、肺がん、悪性中皮腫の３疾患に加え、良性胸膜疾患として、胸膜炎、びまん性胸膜肥厚、円形無気肺（または無気肺性偽腫瘍）および胸膜プラークが挙げられる。これらはいずれも空気中に浮遊する石綿を吸入することにより発生するものであるが、例えば、肺がん発症には、石綿の暴露から１５〜４０年の潜伏期間があると言われており、また、石綿そのものが、最も細いクリソタイルという種類で太さが約０．０２〜０．０３μｍときわめて細く判別し難いものであることから、明らかな疾病の原因として認知され難かったという側面もある。
【０００５】
上記の石綿スレート屋根材も、長期の使用によって石綿の飛散が起こり、環境や健康の被害をもたらす要因となるものであった。この石綿スレート屋根材の場合は、塗膜が紫外線や風雨によって全面的に劣化して保護膜としての機能を失うと石綿が剥離して飛散が起こり、さらに、酸性雨の影響や乾燥によって劣化が進行して表面が摩耗することにより、石綿は飛散する。そして、さらに経年することにより劣化が進むと、乾燥によって反りや割れ等の破損が生じ、風や雨によって石綿の飛散は増大する。特に、近年では酸性雨の影響が著しいため劣化の進行は早く、それだけ石綿の飛散量は多くなる。このような屋根材からの石綿の飛散は、石綿を扱う作業者が被害を受けるものではなく、周辺の住民に被害を及ぼすことになるので、早急な対策が望まれる。
【０００６】
そこで、既設屋根の撤去あるいは半永久的な暴露防止といった対策が講じられるべきであるが、石綿の暴露を防止しながら撤去するにはコストがかかる。また、撤去して廃材となった膨大な石綿スレート屋根材の処分は非常に困難である。そこで、既設屋根を撤去することなく、その上に新たな屋根材を葺き、既設屋根を封鎖する方法が経済的である。既設屋根の上に新たな屋根材を葺く技術は、例えば、特許文献１，２等に記載されている。
【０００７】
【特許文献１】特開平５−４４３０７号公報
【特許文献２】特開２００４−１００２３９号公報
【発明の開示】
【発明が解決しようとする課題】
【０００８】
上記各文献等に記載されるように、新たな屋根材を既設屋根の上に施工しても、既設屋根の表面は露出しているので、きわめて細い石綿が外部に出てしまう可能性があり、完全な石綿の飛散防止策にはなり得ない。
【０００９】
よって本発明は、既設屋根の劣化したり破損したりした部分から、石綿等の粉塵が飛散することを効果的に防止することができる既設屋根の改修方法を提供することを目的としている。
【課題を解決するための手段】
【００１０】
本発明は、既設屋根の表面全面に被覆材を固着させて被覆層を形成し、次いで、この既設屋根の上に、軒先から棟方向に延びる通気用垂木を固定し、次いで、この通気用垂木の上に、断熱材を金属板で挟んでなる金属被覆断熱材を固定し、これによって該金属被覆断熱材と既設屋根との間に屋根通気層を設け、次いで、金属被覆断熱材の上に金属製屋根材を施工することを特徴としている。
【００１１】
本発明によれば、被覆層により既設屋根の表面全面が覆われて露出しない状態が確保されるので、既設屋根の破損部分からの粉塵の飛散が効果的に防止される。既設屋根が上記石綿スレート屋根材で施工されている場合には、石綿の飛散を確実に防止することができる。
【００１２】
また、金属製屋根材で既設屋根が風雨や紫外線等から保護されるので、既設屋根に損傷が起こりにくく、このため、新たに粉塵が生じることはなく、このことからも、粉塵の飛散防止が図られる。その金属製屋根材は、軽量であるから家屋の躯体にかかる負担は軽く、また、亜鉛メッキ鋼板（トタン）等を用いれば安価であり、施工も簡単であるといった利点を備える。なお、金属製屋根材としては、亜鉛メッキ鋼板等の鉄板の他に、アルミニウム、銅、ステンレス等でできたものが用いられる。
【００１３】
さらに、日射により温度上昇した金属製屋根材の熱は、金属被覆断熱材と、この金属被覆断熱材の直下の屋根通気層との断熱効果によって室内に伝達しにくくなり、しかも屋根全体が、屋根通気層を通る空気で空冷されることと相まって、屋根自体の効果的な断熱および湿度低減が図られ、よって、室内の温度および湿度の上昇が抑えられるとともに、既設屋根および躯体が蒸れずに長持ちする。
【００１４】
また、既設屋根の表面に形成された被覆層は、金属製屋根材および金属被覆断熱材によって紫外線や風雨の影響を受けず、また、屋根通気層の通気によって蒸れることが防がれるので、劣化し難く、石綿飛散防止の効果が長期にわたって維持される。したがって、古い石綿スレート屋根の改修には、本発明の石綿飛散対策は工事中を含めて施工完成後もきわめて有効である。
【００１５】
上記被覆材としては、軽量、かつ安価で、施工が比較的簡単なシーラー等の塗料、発泡ウレタン等の液状材料が好適に用いられ、既設屋根の表面に塗り固められて用いられる。また、このような被覆材で被覆層を形成した後に、該被覆層の上に防水シートを敷設すると、既設屋根の表面の封鎖をより一層確実なものとすることができる。
【発明の効果】
【００１６】
本発明によれば、既設屋根の表面を覆った被覆層により、既設屋根からの粉塵の飛散が効果的に防止されるといった効果を奏する。特に、既設屋根が石綿を含む材料を用いた屋根材で施工されている場合には、石綿の飛散が確実に防止され、周辺の環境や住民への石綿被害を防止することができる。
【発明を実施するための最良の形態】
【００１７】
以下、図面を参照して本発明の一実施形態を説明する。
図１は、改修を要する屋根を備えた外断熱工法住宅の一部を示しており、図２〜図５は屋根が改修された後の状態を示している。
【００１８】
図１に示すように、既設屋根は複数の石綿スレート屋根材５１で構成され、これら石綿スレート屋根材５１は、屋根用垂木５２の上に野地板５３が固定されてなる下地材５４の、野地板５３に固定されている。この住宅の外壁部６０は、柱６１と、隣り合う柱６１の間に設けられた断熱材６２とを備え、柱６１の室外側には外壁材６３が、また、室内側には内壁材６４が、それぞれ施工されている。
【００１９】
柱６１の上端には、梁６５が架け渡されて固定されている。梁６５の下方には、室内側の下面に内装材６６が張られた天井６７が施工されており、天井６７の上小屋裏６８が設けられている。また、雨樋６９が固定される破風７０と軒天井７１とにより軒が形成され、軒天井７１には、外部から軒先空間７２に通じる換気口７３が形成されている。
【００２０】
上記屋根を改修するにあたっては、まずはじめに、雨樋６９を取り外してから、図２に示すように、露出する全ての石綿スレート屋根材５１の表面に、シーラー等の塗料や発泡ウレタン等の液状材料からなる被覆材を塗装して硬化させ、所定厚さの被覆層２０を形成する。被覆材の塗装作業は、石綿スレート屋根材５１の上に作業者が乗って石綿が飛散することのないような配慮が求められる。なお、被覆材で被覆が困難な部分（例えば、破損が著しい部分や、軒先や開口部の断面部分）には、気密的に封入が可能な適宜なシートを貼って覆うとよい。
【００２１】
被覆材としてシーラーを用いる場合には、浸透性シーラーを石綿スレート屋根材５１の表面に塗り、目止めする。この目止めによって石綿スレート屋根材５１の表層にはシーラーの含浸層が形成され、石綿スレート屋根材５１における劣化したセメント層内で石綿が凝固する状態となる。次に、シーラーの表面に、二液型塗料、塩化ビニル、アクリル、ＮＡＤ、水性塗料、複層弾性材、単層弾性材等の上塗り材料を適宜選択して上塗りする。これによって塗膜層は強固なものになる。あるいは、発泡ウレタン等のプラスチック発泡材を塗り固めてもよい。
【００２２】
次いで、被覆層２０が表面に形成された石綿スレート屋根材５１の上に、軒先から棟方向に延びる通気用垂木２５を固定する。通気用垂木２５は、屋根用垂木５２の直上に配し、その屋根用垂木５２に釘打ち等の手段で固定する。次いで、通気用垂木２５の上に、図５に詳しく示す断熱材２６ａを薄板状の金属板２６ｂで挟んでなる断熱パネル（金属被覆断熱材）２６を、皿ねじ等の締結具によって固定する。これにより、各通気用垂木２５をスペーサとして、既設の石綿スレート屋根材５１と断熱パネル２６との間に屋根通気層２７が設けられる。
【００２３】
続いて、既設の破風７０および軒天井７１の外側に、新たな破風７０Ａおよび軒天井７１Ａを施工する。軒天井７１Ａには、換気口７３Ａが形成されている。また、新設の破風７０Ａに、新たに雨樋６９Ａを取り付ける。
【００２４】
次に、図３および図４に示すように、断熱パネル２６の上に防水シートとしてアスファルトルーフィング２８を敷設し、この上に、亜鉛メッキ鋼板（トタン）等による金属製屋根材３０を施工する。金属製屋根材３０は、ビス等の締結具によって断熱パネル２６に固定し、さらに必要に応じて部分的に通気用垂木２５にも固定する。金属製屋根材３０の施工後は、屋根通気層２７および小屋裏６８を外部に開放させる棟換気口を設けるとともに、軒先には、外部から屋根通気層２７に通じる外気導入口を備えた水切を設ける（いずれも図示略）。図５は、このようにして修復された屋根構造の詳細を示している。
【００２５】
以上の改修方法によれば、被覆層２０により石綿スレート屋根材５１の表面全面が覆われて露出しない状態が確保される。したがって、石綿スレート屋根材５１における劣化部分や破損部分から石綿が飛散することが確実に防止され、これによって周辺の環境や住民への石綿被害が抑えられる。また、被覆層２０を形成した後は、作業者が石綿スレート屋根材５１に乗って作業しても、傷が付いて石綿が飛散することがない。さらに、金属製屋根材３０や断熱パネル２６で石綿スレート屋根材５１が風雨や紫外線等から保護されるので、石綿スレート屋根材５１に損傷が起こりにくい。このため、損傷部分から新たに石綿が露出することはなく、このことからも、石綿の飛散防止が図られる。
【００２６】
また、新たに施工された金属製屋根材３０は軽量であるから、家屋の躯体にかかる負担は軽く、また、安価であり、施工も簡単に行える。被覆材が上記のシーラー等の塗料や発泡ウレタンであれば、これらも軽量であることから、躯体への負担がより一層抑えられる。特に、石綿スレート屋根材５１は、粘土瓦よりもかなり軽く（１／３程度）、これを使用した住宅の躯体は、その軽量に適合するように設計されているため、石綿スレート屋根材５１に匹敵するか、もしくはそれよりも軽量の金属製屋根材３０を使用することは、なるべく軽量の新たな屋根材を既設屋根の上に施工する上できわめて有効である。
【００２７】
また、この屋根構造によれば、軒先の上記水切の外気導入口から流入した空気（図２のＤで示す）は、屋根通気層２７を上昇して、棟換気口から外部に排気される。一方、軒天井７１Ａ，７１の換気口７３Ａ，７３から軒先空間７２に流入した空気（図８のＥで示す）は、小屋裏６８を上昇して、同じく棟換気口から外部に排気される。
【００２８】
日射により温度上昇した金属製屋根材３０の熱は、断熱パネル２６と、この断熱パネル２６の直下の屋根通気層２７との断熱効果によって、既設の石綿スレート屋根材５１や下地材５４には伝達しにくくなる。そして、石綿スレート屋根材５１や下地材５４に伝達した一部の熱は小屋裏６８に達するが、その熱は、小屋裏６８を上昇する空気によって棟換気口から外部に排出される。このような断熱および換気の作用により、室内の温度上昇が効果的に抑えられるとともに、屋根や躯体が蒸れずに長持ちする。
【００２９】
また、被覆層２０は、金属製屋根材３０および断熱パネル２６によって紫外線や風雨の影響を受けず、また、屋根通気層２７の通気によって蒸れることが防がれるので、劣化し難く、石綿飛散防止の効果が長期にわたって維持される。
【００３０】
なお、石綿スレート屋根材５１の表面に被覆層２０を形成してから、その上にアスファルトルーフィング等の気密性の高い防水シートを敷設してもよく、その場合には、被覆層２０と相まって石綿スレート屋根材５１の封鎖状態がより一層確実になる。また、下地材５４の野地板５３と防水シートによって屋根から小屋裏６８もしくは室内に石綿が侵入することが防止される。さらに、地震等によって石綿スレート屋根材５１が傷ついたり破損したりした場合には、石綿の飛散は防水シートで防止される。
【図面の簡単な説明】
【００３１】
【図１】本発明の一実施形態の改修方法が適用される既設屋根を備えた住宅の一部を示す断面図である。
【図２】一実施形態の改修方法によって改修された屋根を示す断面図である。
【図３】一実施形態の改修方法によって改修された屋根の一部破断斜視図である。
【図４】一実施形態の改修方法によって改修された屋根を模式的に示す（ａ）側断面図、（ｂ）横断面図である。
【図５】一実施形態の改修方法によって改修された屋根の一部拡大断面図である。
【符号の説明】
【００３２】
２０…被覆層
２５…通気用垂木
２６…断熱パネル（金属被覆断熱材）
２７…屋根通気層
３０…金属製屋根材
５１…石綿スレート屋根材（既設屋根）
【図１】
2007039919.tif 000003
【図２】
2007039919.tif 000004
【図３】
2007039919.tif 000005
【図４】
2007039919.tif 000006
【図５】
2007039919.tif 000007